(57)【要約】【課題】      靴底の繊維の抜けやほつれを少なくして耐久性を向上したフエルト製靴底を提供することである。【解決手段】  フエルト材から切断したフエルト製靴底３の底面部３ａの表面部で、踵部の後端部に傾斜部３ｅを設け、傾斜部３ｅにゴムや合成樹脂により繊維Ｓを保持しその移動を阻止した補強部Ａが形成され、フエルト製靴底の繊維が抜け難くなって繊維のほつれが防止されたため、フエルト製靴底の耐久性が向上し、従来より長く使用できるようになった。【選択図】        図２
2006175218.tif 000002
【特許請求の範囲】
【請求項１】
フエルト製靴底の表面部にゴム又は合成樹脂からなる補強部を設けたことを特徴とするフエルト製靴底。
【請求項２】
補強部は底面部の踵部の後端部に設けたことを特徴とする請求項１記載のフエルト製靴底。
【請求項３】
踵部の後端部に傾斜部が形成され、補強部は少なくとも前記傾斜部に設けたことを特徴とする請求項１または２記載のフエルト製靴底。
【請求項４】
補強部はフエルト製靴底を形成する繊維の間にゴム又は合成樹脂が充填されて形成されていることを特徴とする請求項１乃至３記載のフエルト製靴底。
【請求項５】
補強部はゴム又は合成樹脂がフエルト製靴底の表面部を覆って形成されていることを特徴とする請求項１乃至４記載のフエルト製靴底。
【発明の詳細な説明】
【技術分野】
【０００１】
本発明は、魚釣りや運動等のレジャ−に用いるフエルト製靴底の改良に関する。
【背景技術】
【０００２】
川や海などの水辺や水中を歩行するときに石などに付着した苔などに足を取られやすいため、フエルト製の靴底を有する靴が用いられている。
例えば、釣りにおいては、フエルト製の靴底を有する短靴、長靴、足袋、サンダル、ウエ−ダ−など様々な種類の靴が用いられている。
これらの靴は、その靴底の形状に合致した形状に形成された板状のフエルト製の靴底を有し、靴本体に接着されていたり、着脱して交換できるようになっており、交換用靴底も販売されている。
この様なフエルト製の靴底の靴を使用すると、歩行中の滑りはなくなるが、フエルトの減りが早いという問題がある。
【０００３】
例えば、とくに、使い始めに、踵の繊維が踵後端部から引き出されてしまい減りが早く、接地面側がほとんど減っていないにもかかわらず、側面部側が数回の使用で靴本体が地面に接するほど減ってしまうことがある。
そこで、以下の提案がされている。
【０００４】
特許文献１の公報にはフエルト製の靴底に金属製のステープルを刺着したことが記載されている。
ところが、ステープルを設けるとこれが接地するためフエルトの摩耗は少なくなっても金属製のステープルを残してフエルトは繊維が抜けたりほつれてしまうためフエルトの減りは早く、また、フエルト製靴底の周縁部に設けると倒れやすいなどステープルを設けてもフエルトの摩耗を充分に防止することができなかった。
【特許文献１】実開平１−１２１４０１号公報
【発明の開示】
【発明が解決しようとする課題】
【０００５】
解決しようとする課題は、金属製のステープルを刺着したフエルト製の靴底はフエルトの摩耗による減りが少ないが、繊維が抜けたりほつれやすく減るのが早いなど、充分にフエルトの減りを防止できないことである。
【０００６】
本発明の目的は前記欠点に鑑み、靴底の繊維の抜け、ほつれなどのフエルトの減りを少なくして耐久性を向上したフエルト製靴底を提供することである。
【課題を解決するための手段】
【０００７】
上記課題を解決するために、
請求項１に係わる本発明は、フエルト製靴底の表面部にゴム又は合成樹脂からなる補強部を設けたことを要旨とするものである。
請求項２に係わる本発明は、補強部は底面部の踵部の後端部に設けたことを要旨とするものである。
請求項３に係わる本発明は、踵部の後端部に傾斜部が形成され、補強部は前記傾斜部に設けたことを要旨とするものである。
請求項４に係わる本発明は、補強部はフエルト製靴底を形成する繊維の間にゴム又は合成樹脂が充填されて形成されていることを要旨とするものである。
請求項５に係わる本発明は、補強部はゴム又は合成樹脂がフエルト製靴底の表面部を覆って形成されていることを要旨とするものである。
【発明の効果】
【０００８】
請求項１の本発明により、フエルト製靴底の繊維の抜けやほつれが防止されたため、フエルト製靴底の耐久性が向上する
【０００９】
請求項２の本発明により、使用を開始するとすぐに減りやすい踵部の後端部の繊維の抜けやほつれを防止できフエルト製靴底の耐久性が向上する。
【００１０】
請求項３の本発明により、踵部の後端部に設けた傾斜部は接地しにくく、傾斜部に設けた補強部は摩耗しにくいため、繊維の抜けやほつれを防止できフエルト製靴底の耐久性が向上する。
【００１１】
請求項４の本発明により、補強部はフエルト製靴底を形成する繊維の間にゴム又は合成樹脂が充填されて形成されているため、繊維同志がばらけにくく、補強部の繊維の抜けやほつれが防止されるため、フエルト製靴底の耐久性が向上する。
【００１２】
請求項５の本発明により、補強部はフエルト製靴底の表面部をゴム又は合成樹脂が覆って形成されているため、補強部の繊維が接地しにくくなって、繊維の抜けやほつれが防止されるためフエルト製靴底の耐久性が向上する。
【発明を実施するための最良の形態】
【００１３】
以下、本発明の実施形態を図面に基づき説明すると、図１から図３は第１実施例で、図１はフエルト製靴底の靴の断面図、図２はフエルト製靴底の底面側の斜視図、図３はフエルト製靴底の後端部拡大断面図である。
【００１４】
図１のフエルト製靴底の靴Ｋは、靴本体１が布や皮革やウレタン等の合成樹脂やネオプレン（クロロプレン）等のゴムなどの柔軟性を有する材料で一体的に形成され、底部１ａの下側に底部材２が設けられ、底部材２の下側にフエルト製靴底３が接着等により取り付けられている。
【００１５】
フエルト製靴底３は、ポリプロピレン、ポリエチレン等の合成樹脂などの繊維Ｓの集合体にニ−ドルパンチを施し、さらに加圧して上記繊維Ｓがランダムに絡み合ってばらけないように形成された板状のフエルト材から靴底形状に合わせて切断し形成したもので、接地面になる底面部３ａとその反対側の靴本体１側に取り付ける上面部３ｂと周縁に沿って側面部３ｃが形成されている。
【００１６】
フエルト製靴底３は、その繊維の繊度が２〜４０デニ−ルで、繊維長は、１０〜１００ｍｍを用いて、圧力２００〜１０００Ｎ／ｍ２で３〜１０分押圧し、密度０．１〜０．３ｇ／ｃｍ３とし、厚さ５〜３０ｍｍとしたフエルト材を用いている。
【００１７】
さらに、フエルト材から切断したフエルト製靴底３表面部にゴム又は合成樹脂材料の補強材を付着させることで形成した補強部Ａが設けられる。
たとえば、フエルト製靴底３の底面部３ａの表面部で、踵部３ｆの後端部に、加熱して溶融させたウレタンや天然ゴム等のゴム又は合成樹脂材料を塗布して付着させ、これを冷却又は、常温で放置して固着させて補強部Ａが形成される。
補強部Ａは、フエルト製靴底３の繊維Ｓをゴムや合成樹脂材の補強材で保持してその移動を阻止している。
【００１８】
フエルト製靴底３の踵部３ｆの底面部３ａの表面部に溶融させた流動性を有するゴム又は合成樹脂材料を塗布すると、その一部がフエルト製靴底３の繊維Ｓの間に入り込み含浸された状態になって付着し、その状態で硬化するとゴム又は合成樹脂材料が繊維Ｓ間に充填された状態で硬化する。
フエルト製靴底３の補強部Ａが形成された部分は、ゴム又は合成樹脂材料の補強材により繊維が強化され、補強部Ａが形成されていない繊維の部分（フエルト部Ｆ）より硬く形成されるが補強部Ａに設けたゴム、合成樹脂は硬化した時又は常温にて可撓性を有しておりフエルト製靴底３の歪みに応じて変形するようになっている。
【００１９】
補強部Ａの補強材のゴム又は合成樹脂材料は、図３に示すように繊維Ｓ間に充填され、繊維Ｓを取り込み、繊維Ｓ同志を補強部Ａのゴム又は合成樹脂材料を介して連結するようにして固着し、繊維Ｓ同志が離れないように補強し繊維Ｓの移動を阻止しているため繊維Ｓが抜け出たりほつれたりすることが防止される。
しかも、補強部Ａの一部のゴム又は合成樹脂材料は、繊維Ｓ間に充填されて形成された充填層Ａ１の他に、その一部が繊維Ｓ間に入り込まずに表面を覆う表面層Ａ２を形成するため繊維Ｓの移動を阻止し、表面からの繊維Ｓのほつれをより一層防止する。
また、補強部Ａは粘着性を有する補強材を用いて繊維を保持するようにしてもよい。
【００２０】
補強部Ａは、踵部３ｆの後端部に設け、最も繊維が抜けたりほつれたりしやすい部分を補強しているため、踵部３ｆ及びその周辺が大きく繊維が抜けたりほつれたりすることが防止され、また、フエルト製靴底３の底面部３ａの少なくとも表面部（表面及び内部の表面側の部分）に形成されているため、使用開始後すぐに繊維が多く抜けたりほつれたりすることが防止される。
【００２１】
補強部Ａのゴム又は合成樹脂材料等の補強材は、フエルト製靴底３に流したり、はけ等の塗布具を用いたり、フエルト製靴底３を補強材に浸け込む等してフエルト製靴底３に付着させたり、さらに、ローラやへら等の押圧具を用いて押圧しながら繊維Ｓ間に侵入させながら塗布することができるが、上記材料をフエルト製靴底３に添付して加熱するだけでも繊維Ｓの間に入り込み含浸された状態になり、繊維Ｓ間に充填された状態で硬化することができる。
これらの方法で表面部の深い部分まで付着させることができるが、補強材は吹き付けて塗布等の方法により、表面部に浅く付着させた補強部Ａを形成できる。
ゴム又は合成樹脂材料が硬化した補強部Ａは、可撓性を有するように形成され荷重により歪んでも荷重が除かれればもとの形状に戻るようになっている。
【００２２】
補強材は、繊維Ｓ間に充填された補強材のゴム又は合成樹脂材料は繊維Ｓ間に隙間無く充填されても良いが、隙間がある状態で繊維間に入り込んで繊維Ｓに付着している状態でもよく、補強部Ａで接地した時でも繊維Ｓによる滑り止め作用を発揮しやすいため滑りにくい。
また、充填層Ａ１と表面層Ａ２のいずれか一方が繊維と繊維の間に隙間のある状態で補強材が充填されていてもよい。
なお、補強部Ａの補強材は、接着剤を用いることができ、たとえば、溶剤形接着剤を塗布して形成してもよく、有機溶剤が蒸発して硬化した時に可撓性又は粘着性を有するように形成してもよい。
【００２３】
補強部Ａは、図２のようにフエルト製靴底３の底面部３ａの表面部で、踵部３ｆの後端部に形成された湾曲部Ｗの近傍に形成される。
補強部Ａは、踵部３ｆの後端部の湾曲部Ｗが始まる部分Ｐより後端側に形成されるのが好ましく、この部分は、側面部３ｃが後方側を向くため最もフエルトの摩耗やほつれがおきやすく、図２の二点鎖線Ｐは、踵部３ｆが後端側に向けて左右の幅が狭くなり始める部分の境界を示しており、これより後端側領域を踵部３ｆの後端部とし補強部Ａを設けると最も効果があがる。
【００２４】
また、フエルト製靴底３は踵部３ｆの後端部の底面部３ａの湾曲部Ｗにおいて面取りされており、フエルト製靴底３の底面部３ａに後方になるにつれて上面側（靴本体１側）へ向かう傾斜を有する傾斜部３ｅが形成され、踵部３ｆの後端は、傾斜部３ｅが側面部３ｃと交差し、踵部３ｆの後端の側面部３ｃは側面部３ｃの他の部分より幅が狭くなっている。
フエルト製靴底３の踵部３ｆは、フエルト製靴底３の後端側の部分で靴本体１の踵部１ｃと共に靴を履いたときにおよそ踵が位置し、踵に対応する部分である。
【００２５】
そして、フエルト製靴底３の底面部３ａがまっすぐ接地した時にこの傾斜部３ｅは接地しないようになっており、傾斜部３ｅの表面部に補強部Ａが設けられている。
傾斜部３ｅは、底面部３ａの後端部の湾曲部Ｗに沿った領域に形成され、平面状の傾斜面を形成しているが、他に湾曲面や凹凸部を有するようにしてもよく、後方上がりに形成されていればよい。
【００２６】
このように傾斜部３ｅに補強部Ａが形成されていると、傾斜部３ｅが歩行中に接地しにくいため、補強部Ａにゴムや合成樹脂を有していても、これらゴム、合成樹脂による滑りが防止でき、また、補強部Ａ自体も接地しにくくなるためフエルト製靴底の靴Ｋの使用開始後すぐに補強部Ａが摩耗して壊れることが防止でき繊維Ｓの抜けやほつれを阻止する効果が持続する。
【００２７】
踵部３ｆの後端部は従来のフエルト製靴底のような底面部と側面部が略直角に交差して形成される角部が面取りされてなくなり傾斜部３ｅとなっているため、フエルト製靴底の靴Ｋの使用開始後すぐに踵部３ｆの繊維Ｓが抜けたりほつれたりせず摩耗することが防止される。
したがって、フエルト製靴底３の底面部３ａのフエルト部Ｆがフエルト製靴底の靴Ｋの使用に応じて摩耗するが、補強部Ａによって従来より耐久性が上がり長く使用できるようになった。
【００２８】
補強部Ａは、傾斜部３ｅに設けたが傾斜部３ｅからはみ出して形成されていてもよい。
しかし、補強部Ａは、二点鎖線Ｐよりも後方側に設けることが好ましく、また、滑りを防止するために踵部３ｆの底面部３ａの前端部（二点鎖線Ｐよりも前方側）には設けずフエルト部Ｆが表面に露出するようになっている。
ただし、踵部３ｆの後端部の補強部Ａ以外に補強部を設ける場合は少なくとも補強部Ａよりも補強した部分が粗になるようにしてフエルト部Ｆが補強部Ａよりも多く露出するようにするとよい。
【００２９】
補強部Ａは形成した範囲のすべて充填層Ａ１とするのではなく繊維が残るように形成しても良い。
また、補強部Ａはフエルト製靴底３の底面部３ａの表面部に設けることで使用開始後すぐにフエルトが減ってしまうことが防止され、したがって、表面部は表面側の領域であって補強部Ａは底面部３ａの反対面の上面部３ｂに達するまで設けておらず、補強部Ａが摩耗した後はフエルト部Ｆが露出して滑り止め効果がより上がるようになっている。
【００３０】
従来のフエルト製靴底は、使用するうちに踵部後端側の側面部３ｃが外側（後ろ側）に倒されてしまい、この時、踵部後端側の側面部３ｃと底面部３ａの角部３ｄのフエルトからほつれが始まり、これをきっかけに徐々に前側のフエルトがほつれるため踵部後端側が早くフエルト（繊維）が減りやすく、場合によっては、フエルト製靴底がまだ十分な厚味を有しながら踵部後端側の側面部３ｃが減ったために靴本体が地面に接しやすくなってしまい交換しなければならないということがあったが、本願構成により、フエルト製靴底３の底面部３ａの後端部が強化されて繊維が倒れ難くなり、また、繊維が抜け難くなって摩耗が防止されたため、フエルト製靴底３の耐久性が上がり従来より長く使用できるようになった。
【００３１】
なお、補強部Ａは靴を使用するうちに摩耗してフエルト部Ｆが露出するが、使用開始後すぐにフエルトが減ることが防止され、使用開始後直後のフエルトを長持ちさせるという目的は達成される、補強部Ａのフエルト部Ｆが露出した時には靴の使用者の歩き方の癖などに応じて摩耗しやすい部分が適度に摩滅した状態となるため既にフエルトのほつれなど急なフエルトの減りは生じにくくなっている。
【００３２】
図４から図６は第２実施例で、図４はフエルト製靴底の靴の断面図、図５はフエルト製靴底の底面側の斜視図、図６はフエルト製靴底の後端部拡大断面図である。
【００３３】
第２実施例では補強部Ａは、フエルト製靴底３の底面部３ａの表面部で、踵部３ｆの後端部に間隔を置いて複数個形成されている。
この補強部Ａは第１実施例と同様に踵部３ｆの後端部、すなわち、踵部３ｆが後端側に向けて左右の幅が狭くなり始める部分の二点鎖線Ｐより後端側に形成される。
【００３４】
フエルト製靴底３の踵部３ｆの底面部３ａの後端には第１実施例と同様に後方になるにつれて上面側（靴本体１側）へ向かう傾斜を有する傾斜部３ｅが形成されている。
補強部Ａは、ゴム又は合成樹脂により間隔を置いて複数個形成されており、それぞれの一部が繊維Ｓ間に入り込み含浸されて繊維Ｓ同志をその移動を阻止するように連結する充填層Ａ１と底面部３ａの表面部から外方に突出した表面層Ａ２を有している。
【００３５】
補強部Ａは、傾斜部３ｅに形成して補強部の破損を防止する他、傾斜部３ｅのすぐ前方側にも形成されており、底面部３ａが傾斜部３ｅに変移する境界の繊維の摩耗を防止している。
補強部Ａは、このように形成した範囲のすべてを充填層Ａ１とするのではなく繊維が残るように溶融して形成しても良いし、表面部においてもすべて表面層Ａ２で覆われることなく表面部から繊維Ｓが露出していても良い。
その他の構成は第１実施例と同様である。
【００３６】
図７から図９は第３実施例で、図７はフエルト製靴底の靴の断面図、図８はフエルト製靴底の底面側の斜視図、図９はフエルト製靴底の後端部拡大断面図である。
【００３７】
第３実施例では補強部Ａはゴム又は合成樹脂により成型され、フエルト製靴底３の底面部３ａの表面部で、踵部３ｆの後端部に接着されて取り付けられている。
この補強部Ａは第１実施例と同様に踵部３ｆの後端部、すなわち、踵部３ｆが後端側に向けて左右の幅が狭くなり始める部分の二点鎖線Ｐより後端側に形成されるが繊維Ｓの間に充填されず底面部３ａの表面部に接着剤で接着されその表面部に当接し覆うことで表面部の繊維Ｓを押さえつけて保持し表面部の繊維Ｓが抜けたり引き出されてしまったりするなどの繊維Ｓの移動を阻止している。
【００３８】
フエルト製靴底３の踵部３ｆの底面部３ａの後端部には第１実施例と同様に後方になるにつれて上面側（靴本体１側）へ向かう傾斜を有する傾斜部３ｅが形成されている。
補強部Ａは、傾斜部３ｅと略形状が合致するように形成され略その全体を覆っている。
補強部Ａの接地面側は傾斜部３ｅと同様に後方になるにつれて上面側（靴本体１側）へ向かう傾斜を有しており、フエルト製靴底３の底面部３ａがまっすぐ接地した時に補強部Ａは接地しにくくなっている。
また、補強部Ａの接地面側は凹凸部Ｔを有しており、誤って接地したときでも滑りにくくなっている。
その他の構成は第１実施例と同様である。
【００３９】
また、さらに、前記第１実施例から第３実施例はフエルト製靴底は傾斜部３ｅを有する例で説明したが、図１０、第４実施例のように傾斜部３ｅを有しない底面部３ａの踵部３ｆの後端部が平らに形成されているフエルト製靴底に補強部Ａを形成してもよい。
第４実施例のその他の構成は第１実施例と同様である。
【００４０】
前記第１実施例から第４実施例についての説明では靴本体１の底部１ａの下側に取り付けた底部材２の下側にフエルト製靴底３が接着固定された例で述べたが、底部材２側とフエルト製靴底３側の双方にベルベット式ファスナ−等を設けて着脱自在（交換自在）としてもよい。
【産業上の利用可能性】
【００４１】
本願は、フエルト製靴底に利用できる。
【図面の簡単な説明】
【００４２】
【図１】第１実施例でフエルト製靴底の靴の断面図である。
【図２】同フエルト製靴底の底面側の斜視図である。
【図３】同フエルト製靴底の後端部拡大断面図である。
【図４】第２実施例でフエルト製靴底の靴の断面図である。
【図５】同フエルト製靴底の底面側の斜視図である。
【図６】同フエルト製靴底の後端部拡大断面図である。
【図７】第３実施例でフエルト製靴底の靴の断面図である。
【図８】同フエルト製靴底の底面側の斜視図である。
【図９】同フエルト製靴底の後端部拡大断面図である。
【図１０】第４実施例でフエルト製靴底の後端部拡大断面図である。
【符号の説明】
【００４３】
１  靴本体
３  フエルト製靴底
３ａ  底面部
３ｃ  側面部
３ｅ  傾斜部
Ａ  補強部
【図１】
2006175218.tif 000003
【図２】
2006175218.tif 000004
【図３】
2006175218.tif 000005
【図４】
2006175218.tif 000006
【図５】
2006175218.tif 000007
【図６】
2006175218.tif 000008
【図７】
2006175218.tif 000009
【図８】
2006175218.tif 000010
【図９】
2006175218.tif 000011
【図１０】
2006175218.tif 000012